(57)【要約】  【課題】  自動閉扉機構が装備されたドアにおいて、既設のドアガードに対して装着することで扉を完全に閉扉しない、閉扉阻止装置を提供する。  【解決手段】  閉扉阻止装置１は、アーム３における先端部３１の閉塞端側面と当接する第一係合部１ａと、係合突起４ｂの頭部４ａ外周側面と当接する第二係合部１ｂと、第一係合部１ａと第二係合部１ｂとを所定の間隔で連結する連結部１ｃとからなる。この閉扉阻止装置１を、アーム３と係合突起４ｂとからなる既設のドアガード２に装着する。ドアガード２の係合突起４ｂとアーム３の先端部３１との距離は、閉扉阻止装置１により変化しないので、扉１０に装備された自動閉扉機構による閉扉動作を阻止し、扉１０と扉枠１１との間に隙間を形成し続けることができる。【選択図】  図１
2005076283.tif 000002
【特許請求の範囲】
【請求項１】
アームと、このアームと係合する係合突起とからなるドアガードに装着されて扉の閉動を阻止する閉扉阻止装置において、
上記ドアガードのアームの先端部側面に当接し、かつこの先端部に掛止する爪を有する第一係合部と、上記ドアガードの係合突起の外周側面に当接して、かつこの係合突起に掛止する爪を有する第二係合部とを備えることを特徴とする、閉扉阻止装置。
【請求項２】
扉の裏面または扉枠に固着されたアームと、このアームが固着していない扉枠または扉の裏面に固着されて、かつ上記アームと係合する係合突起とからなるドアガードを装備した扉において、
上記アームの先端部側面に当接する第一係合部と、上記係合突起の外周側面に当接する第二係合部と、上記第一係合部および上記第二係合部を所定の間隔で連結する連結部とから成っており、
上記ドアガードに装着することにより、上記扉が閉動しないようにしたことを特徴とする閉扉阻止装置。
【請求項３】
前記第一係合部と前記第二係合部と前記連結部とは一体的に構成されていることを特徴とする、請求項２に記載の閉扉阻止装置。
【請求項４】
前記第一係合部の前記第二係合部側の形状は、前記アームの先端部側面の形状に対応していることを特徴とする、請求項１〜３の何れかに記載の閉扉阻止装置。
【請求項５】
前記第二係合部の前記第一係合部側の形状は、前記係合突起の前記扉側の形状に対応していることを特徴とする、請求項１〜４の何れかに記載の閉扉阻止装置。
【発明の詳細な説明】
【技術分野】
【０００１】
本発明は扉、特に自動で閉動する機構（自動閉扉機構）が装備された扉において、必要以上に開動しないように制御する、所謂ドアガードに装着することで僅かに隙間を開けておくことができる、閉扉阻止装置に関する。
【背景技術】
【０００２】
玄関ドアなどの扉には、用心のために所謂ドアガードが装備されており、ドアガードを機能させておくことで、開扉しても必要以上に扉が開放せず、意に反する者の侵入を防ぐことができる。図６は、外開き式の扉および扉枠に取り付けられた一般的なドアガードの構成図で、（ａ）は平面図、（ｂ）はドアガードを機能させていない状態、即ち、解錠状態での正面図、（ｃ）はドアガードを機能させた状態、即ち施錠状態での側面図である。何れも扉は開放していない状態で図示してある。扉１０を開閉するためのドアノブなどは図示していない。
【０００３】
ドアガード２は、扉１０の裏面１０ａに回動可能に取り付けられるアーム３と、扉枠１１に固着する受座４とで構成される。受座４は、頭部４ａが曲面に膨大した係合突起４ｂと、ビス（図示せず）などを挿通する複数の孔（図示せず）が穿設された座部４ｃとを一体的に備えている。係合突起４ｂが扉１０の幅方向に並行に突出するように、受座４が扉枠１１に固着されている。アーム３は、略Ｕ字型に形成されたアーム部３ａと、アーム部３ａを回動可能に支持して扉１０の裏面１０ａに取り付ける取付部３ｂとを備える。
【０００４】
アーム部３ａは、一本の棒を屈曲して、上下の間隔が頭部４ａの径より小さくなるように、例えば略Ｕ字型に形成される。アーム部３ａの先端部３１側を閉塞端とし、基端部３２側を開放端とする。アーム部３ａには、扉１０の裏面１０ａに対して垂直な状態（図６（ａ）の実線、図６（ｃ））において、係合突起４ｂに対してスライドできるようスライド孔３ｃが形成されている。取付部３ｂ側でのアーム部３ａの上下の間隔は、係合突起４ｂの頭部４ａの径より広くなっており、アーム部３ａを回動して図６（ｂ）の状態から図６（ｃ）の状態にすることでスライド孔３ｃに係合突起４ｂを差し込みできる。取付部３ｂは、ビス（図示せず）などを挿通する複数の孔（図示せず）が穿設された座部３３と、座部３３からアーム部３の基端部３２が嵌合可能に一対のブラケット３４とが形成されている。座部３３は、扉１０の裏面１０ａで受座４の位置に対応させてビスなどで固着される。なお、アーム部３ａの開放端の端部３５は、ブラケット３４と回動軸３６で軸着可能に皿状に形成されている。端部３５に穿設された孔とブラケット３４に穿設された孔とを合せて回動軸３６が挿通され、回動軸３６の先端には止め環３７が嵌着されている。
【０００５】
以上のようなドアガード２において、アーム部３ａの長手方向を扉１０の裏面１０ａに対して平行な状態、即ち、図６（ａ）の点線で示す解錠状態から、回動軸３６を中心に略９０度アーム部３ａを回して、アーム部３ａの長手方向を扉１０の裏面１０ａに垂直な状態、即ち、図６（ａ）の実線で示す施錠状態にする。そして、扉１０を図６（ａ）の矢印の方向に開けると、アーム部３ａが係合突起４ｂに対してスライドするものの、アーム部３ａの先端部３１は閉塞端となっているので、それ以上扉１０が開かないようになっている。このように、ドアガード２を機能させることで、扉１０が必要以上に開かないようにできる。
【０００６】
また、従来、閉扉動作を自動で行わせる自動閉扉機構が各種知られており、所謂ドアチェックとかドアクローザーと呼ばれているものや、蝶番にその機構を組み込んだ自動閉扉蝶番などがある。自動閉扉蝶番は、例えば、コイルバネのねじり方向の復元力を利用して閉扉させるものである。
【発明の開示】
【発明が解決しようとする課題】
【０００７】
ところで、自動閉扉機構が装備された扉においてドアガードを機能させて開扉しても、自動閉扉機構により扉が勝手に閉じ、扉を僅かに開けておくことができない、という課題がある。それにより、隙間から隙間風が入らないので、換気ができない。もっとも、扉を少し開けて扉と扉枠とにできる隙間に、別途スリッパなどの挟み物を挟んでおくことで、隙間を開けた状態を維持できるものの、見栄えが悪く、スリッパなどの挟み物が変形して、スリッパなどを正しく使用することができなくなる。
【０００８】
また、このような課題を解決したものとして、例えば、構造を替えたドアガードが考えられている。図７は図６と構造が異なるドアガードで、（ａ）はその使用状態を示した斜視図で、（ｂ）はその平面図である。ドアガード５も、扉１０に回動可能に取り付けられるアーム６と、扉枠１２に固着する受座７とで構成される。しかし、受座７は、扉枠１２に固着する座部７１と、座部７１に対して斜設した上下一対のブラケット７２と、各ブラケット７２の対向面側に形成された突起（図示せず）と、上側のブラケット７２下面に形成された突起に挿通するロックボタン７３とで構成される。
【０００９】
アーム６は、扉１０の裏面１０ａに固着する取付部６１と、取付部６１に対してブラケット７２と同方向に斜設した上下一対のブラケット６２と、一対のブラケット６２に挟着して回動可能に軸着されたアーム部６３とで構成される。アーム部６３の基部６３ａの外周には、受座７の突起を挿脱する箇所（図に示す矢印Ａ）を除いて枠６３ｂが上下に立設されている。そして、基部６３ａの先端、即ち、ブラケット６２と軸着しない側には、受座７のロックボタン７３を嵌合する凹部６３ｃが形成されている。
【００１０】
かかる構成で、扉１０を図７（ａ）に示す矢印で示す方向にドアノブ１３を用いて開く際に、図７（ｂ）に点線で示したアーム部６３、すなわち、扉１０の裏面１０ａに平行なアーム部６３を、図７（ｂ）に示す矢印の方向に回転させる。これにより、受座７のロックボタン７３を挿通した突起を、アーム部６３の上下の枠６３ｂ内に挿入する。丁度この状態を示したのが図７（ｂ）の実線の状態である。次に、扉１０を開き、ロックボタン７３を挿通した突起が基部６３ａの先端の位置にくるまで、扉１０を開く。そして、ロックボタン７３を押すことで凹部６３ｃに嵌合させる。その結果、扉１０がこれに装備されている自動閉扉機構により閉まらないようにできる。
【００１１】
しかしながら、既にドアガードが扉１０に取り付けてある場合には、既設のドアガードを取り外す必要がある。しかも、扉１０に各部品を固着するためのビスなどの孔が残ってしまい、美観を損ねることになる。
そもそも、図６（ａ）と図７（ｂ）とを比較すると、図７に示したドアガード５の場合には、扉１０とのなす角、すなわち、アーム６が回動する角度は０度から約９０度前後以内ではなく、約１６０度などの鈍角の範囲まで及ぶ。これに対し、図６に示したドアガード２の場合には、扉１０とのなす角は、約１６０度などの鈍角まで及ぶことはない。このことから、図７に示したドアガード５は、図６に示すように扉枠１１の幅Ｌ１が図７に示す扉枠１２の幅Ｌ２よりはるかに小さい場合にしか実際使用できない。また、賃貸物件のように、ドアなどが自己所有の物でない場合には、既設のドアガードを取り外すことになるので、後々無用な争いを生じさせることになる。
【００１２】
そこで、本発明は、上記課題に鑑み、扉、特に自動閉扉機構が装備された扉において、既設のドアガードに対して装着することで扉を完全に閉扉しない、閉扉阻止装置を提供することを目的とする。
【課題を解決するための手段】
【００１３】
上記課題を解決するために、本発明は、アームと、このアームと係合する係合突起とからなるドアガードに装着されて扉の閉扉を阻止する閉扉阻止装置において、上記アームの先端部側面に当接し、かつこの先端部に掛止する爪を有する第一係合部と、上記係合突起の外周側面に当接して、かつこの係合突起に掛止する爪を有する第二係合部とを備えることを特徴とする。
【００１４】
また、本発明は、扉の裏面または扉枠に固着されたアームと、このアームが固着していない扉枠または扉の裏面に固着されて、かつ上記アームと係合する係合突起とからなるドアガードを装備した扉において、上記アームの先端部側面に当接する第一係合部と、上記係合突起の外周側面に当接する第二係合部と、上記第一係合部および上記第二係合部を所定の間隔で連結する連結部とから成っており、上記ドアガードに装着することにより、上記扉が閉動しないようにしたことを特徴とする。前記第一係合部と前記第二係合部と前記連結部とは一体的に構成されていることが好ましい。
【００１５】
さらに、前記第一係合部の前記第二係合部側の形状は、前記アームの先端部側面の形状に対応していることが好ましい。同様に、前記第二係合部の前記第一係合部側の形状は、前記係合突起の前記扉側の形状に対応していることが好ましい。
【発明の効果】
【００１６】
本発明に係る閉扉阻止装置は、ドアガードを機能させて扉を開けて、ドアガードに装着される。すなわち、アームの先端部である閉塞端の外側に第一係合部と当接させる。これと同時に、外開き式の扉の場合には、扉枠に固着された係合突起の扉側と第二係合部と当接させ、内開き式の扉の場合には、扉の裏面に固着された係合突起のアーム固着側と第二係合部とを当接させる。これにより、自動に閉扉する機構が装備された扉でも、第一係合部と第二係合部の距離は変らず、外開き式の扉の場合には、第二係合部と当接する係合突起は扉枠に固着されており、内開き式の扉の場合には、第一係合部と当接するアームの先端部の回動半径は変化しない。よって、自動閉扉機構による閉扉動作を阻止することができ、扉を僅かに開けて扉と扉枠とで隙間を形成することができる。それゆえ、僅かな隙間から隙間風を室内に流入させたり、室外に流出させたりすることができ、室内の換気を十分行うことができる。
さらに、第一係合部の形状を、当接するアームの先端部である開放端の形状に対応させて爪を設けることで、第一係合部をアームから脱離させないようにすることができる。また、同様に、第二係合部の形状を、当接する係合突起の形状に対応させることで、第二係合部をアームから脱離させないようにすることができる。また、第一係合部と第二係合部の距離は連結部の長さで決まるので、隙間の大きさが調整できる。
本発明に係る閉扉阻止装置は、扉の開放側裏面または扉枠に固着されるアームと、扉の開閉でアーム、特にアームのスライド孔と係合する係合突起とからなるドアガードであれば、扉およびドアガードが内開き式でも外開き式であっても、ドアガードに後付けで装着可能である。よって、既設のドアガードを取り外す必要がなく、不要な穴などを扉や扉枠に残存することもない。
【発明を実施するための最良の形態】
【００１７】
以下、添付図面を参照しながら、本発明の形態について説明する。なお、全ての図において、同一または同等の部材には同一の符号を付してある。
図１は、既設のドアガードに対して本発明の閉扉阻止装置を装着した状態を示したもので、（ａ）はその平面図、（ｂ）はその側面図である。図１（ａ），（ｂ）はそれぞれ図６（ａ），（ｃ）に対応させて示してある。なお、ドアノブや鍵挿込口などは示していない。本発明の閉扉阻止装置１は、所定のドアガード２を構成するアーム３と受座４とがそれぞれ扉１０や扉枠１１に既設されていることを条件に利用できる。以下では、図６に示した外開き式の扉１０および扉枠１１に取り付けられた一般的なドアガード２に装着する場合で、かつ自動で閉扉する機構（自動閉扉機構）が装備されている場合を説明する。
【００１８】
閉扉阻止装置１は、アーム３の先端部３１、すなわちアーム部３ａの閉塞端の外周側面一部に当接する第一係合部１ａと、係合突起４ｂの頭部４ａの外周側面一部に当接する第二係合部１ｂと、第一係合部１ａと第二係合部１ｂとを所定の間隔で連結する連結部１ｃとからなる。第一係合部１ａと第二係合部１ｂと連結部１ｃとは一体的に構成されているのが好ましい。
第一係合部１ａの形状、特にアーム３の先端部３１に当接する箇所の形状は、先端部３１の外周側面の形状に対応していることが好ましい。例えば、図１に示すように、アーム３の先端部３１が所定の半球面状になっている場合には、第一係合部１ａの内側の形状、すなわち、第二係合部１ｂ側の形状が、その半球面に沿った曲面となっていることが好ましい。
第二係合部１ｂの形状、特に係合突起４ｂの頭部４ａに当接する箇所の形状は、頭部４ａの外周側面の形状に対応していることが好ましい。例えば、図１に示すように、係合突起４ｂの頭部４ａが略楕円体である場合には、第二係合部１ｂの内側の形状、すなわち、第一係合部１ａ側の形状が、その略楕円体に沿った曲面になっていることが好ましい。
また、図１（ｂ）に示すように、特に第一係合部１ａと第二係合部１ｂの各外径が異なる場合には、第一係合部１ａと第二係合部１ｂとを所定の間隔で連結する連結部１ｃの両端は、それぞれ第一結合部１ａや第二結合部１ｂに滑らかに連結されるのが好ましい。なお、連結部１ｃの長さにより、第一係合部１ａと第二係合部１ｂとの間隔が決まるので、その長さを任意に決定して閉扉阻止装置１を作製することで、扉１０と扉枠１１とで形成される隙間を所望の大きさにすることができる。
【００１９】
次に、好ましい閉扉阻止装置の形態を説明する。
図２は、図１のドアガード２に装着される好ましい閉扉阻止装置１の斜視図である。第一係合部１ａは単に当接するアーム３の先端部３１の形状に対応させるだけでなく、第一係合部１ａの連結部１ｃと逆側に第一掛止部１ｄが連成された第一係合部１ａとするのが好ましい。つまり、第一掛止部１ｄとして、アーム３の先端部３１への引掛かりとなる爪１ｄ１を第一係合部１ａが備えるのが好ましい。この爪１ｄ１で先端部３１の扉枠１１側面に掛止する。これで、第一掛止部１ｄと連成された第一係合部１ａで、アーム３の先端部３１側面と当接するとともに、第一掛止部１ｄの爪１ｄ１とで先端部３１を包囲する、すなわち、連結部１ｃと第一掛止部１ｄとをアーム３の先端部３１に挟着することで、閉扉阻止装置１がアーム３の先端部３１から不意に離脱しないようにすることができる。
また、同様に、第二係合部１ｂは単に当接する係合突起４ｂにおける頭部４ａの形状に対応させるだけでなく、第二係合部１ｂの連結部１ｃと逆側に第二掛止部１ｅが連成されている第二係合部１ｂとするのが好ましい。つまり、第二掛止部１ｅとして、頭部４ａへの引掛かりとなる爪１ｅ１、すなわち、係合突起４ｂの頭部４ａに掛止する爪１ｅ１を第二係合部１ｂが備えるのが好ましい。これで、第二掛止部１ｅと連成された第二係合部１ｂで、受座４の頭部４ａ外周側面と当接すると共に、頭部４ａを側面から包囲する、すなわち、頭部４ａが連結部１ｃと第二掛止部１ｅとに挟着されることで、閉扉阻止装置１が係合突起４ｂから不意に離脱しないようにできる。
【００２０】
以上のように構成された閉扉阻止装置１のドアガード２への装着手順を説明する。
図３および図４は、本発明の閉扉阻止装置１のドアガード２への装着進捗状況を説明した斜視図である。なお、ドアノブなどは図示していない。図３（ａ）に示すように、ドアガード２のアーム３に閉扉阻止装置１が紐や鎖などの可撓体１ｆで取り付けられている。閉扉された状態においては、ドアガード２のアーム３は扉１０の裏面１０ａに平行になっている。次に、図３（ｂ）に示すように、ドアガード２のアーム３を９０度前後回転させて扉１０の裏面１０ａに垂直になるようにする。これで、ドアガード２を機能させることができる。
そして、扉１０を外側に開けることでドアガード２のアーム３をスライドさせて、係合突起４ｂの位置にアーム３の先端部３１が来るようにする。その状態で、図４（ａ）に示すように手１４で閉扉阻止装置１を装着する。すなわち、閉扉阻止装置１の第二係合部１ｂを係合突起４ｂの頭部４ａに扉１０側から包囲するように係合させるとともに、第一係合部１ａをアーム３の先端部３１に包囲するように係合させる。
最後に、扉１０に装備されている自動閉扉機構（図示せず）で僅かに閉動されることにより、図４（ｂ）に示すように、係合突起４ｂとアーム３の先端部３１との距離が僅かに狭まり、第二係合部１ｂと第一係合部１ａとの距離に等しくなるようにする。
【００２１】
この状態で、自動閉扉機構による閉扉動作により、係合突起４ｂとアーム３の先端部３１との距離が広がろうとする。一方で、係合突起４ｂの頭部４ａに部分的に包囲された第二係合部１ｂとアーム３の先端部３１に部分的に包囲された第一係合部１ａとの距離は、第一係合部１ａと第二係合部１ｂとを連結する連結部１ｃにより一定に保とうとする。よって、閉扉阻止装置１により、自動閉扉機構による閉扉動作を阻止できる。すなわち、自動閉扉機構による閉扉動作に関係なく、係合突起４ｂとアーム３の先端部３１との距離は常に一定となり、扉１０と扉枠１１とに隙間を形成しておくことができる。これにより、自動閉扉機構や風などに影響されることなく、所定間隔の隙間を開けておける。
【００２２】
その後、閉扉阻止装置１をドアガード３から脱離させて扉１０を自動閉扉機構により閉じる際には、扉１０を開いて、係合突起４ｂとアーム３の先端部３１との距離を狭めればよい。扉１０を僅かに開くことで、係合突起４ｂの頭部４ａの扉１０側側面と閉扉阻止装置１の第二係合部１ｂの内側面との間に力が作用せず、また、アーム３の先端部３１の外側である側面と閉扉阻止装置１の第一係合部１ａの内側面との間に力が作用しなくなり、閉扉阻止装置１をドアガード３から容易に離脱させることができる。そのとき、閉扉阻止装置１は、紐や鎖などの可撓体１ｆの一端に結着されており、可撓体１ｆの他端はアーム３の先端部３１に巻き付けられているので、床に落下することなく、閉扉阻止装置１を紛失することもない。
【００２３】
以上の説明においては、専らドアガードが図１に示す外開き式の扉１０および扉枠１１に既設されている場合を前提に説明したが、内開き式の扉および扉枠にドアガードが既設されている場合であってもよい。以下、内開き式の扉１０および扉枠１１ａに既設されたドアガードに、本発明の閉扉阻止装置１を装着する場合を説明する。
【００２４】
図５は、図１とは一部異なる既設のドアガードに対して本発明の閉扉阻止装置１を装着した状態を示したもので、（ａ）はその平面図、（ｂ）はその側面図である。図５のドアガード２１は図１と同様にアーム３と受座４とから構成され、かつアーム３の構造自体に違いはないが、以下の点で図１のドアガード２とは異なる。すなわち、受座４の係合突起４ｄは、図１や図６のように座部４ｃに垂直に直立しておらず、座部４ｃに対して例えば湾曲しており、扉１０の横幅より扉枠１１ａ側に突出している。また、アーム３は扉１０の裏面に固着されず扉枠１１ａに固着され、逆に、受座４は扉枠１１ａに固着されず扉１０の裏面１０ａに固着されている。
【００２５】
閉扉阻止装置１は、アーム３の先端部３１外側の側面に当接する第一係合部１ａと、係合突起４ｄの頭部４ａの外周側面一部に当接する第二係合部１ｂと、第一係合部１ａと第二係合部１ｂとを所定の間隔で連結する連結部１ｃとからなる。つまり、閉扉阻止装置１は、外開き式の場合と何ら構造を替える必要はない。つまり、外開き式でも内開き式でも同一物を兼用できる。
【００２６】
閉扉された状態で扉１０を開動させる場合、ドアガード２１のアーム３を扉１０の裏面１０ａに対し略垂直か係合突起４ｄ側に傾斜させて、アーム３の取付部側から係合突起４ｄを挿し込み、アーム３と係合突起４ｄとが係合し得るようにする。これでドアガード２１を機能させることができる。
次に、扉１０を図５（ａ）の矢印の方向に回動させて開扉すると、係合突起４ｄがスライド孔３ｃに対してスライドし、係合突起４ｄがアーム３の先端部３１に来る。この状態で、外開き式の場合と同様に、手１４で閉扉阻止装置１を装着する。すなわち、閉扉阻止装置１の第二係合部１ｂを係合突起４ｄの頭部４ａに包囲するように係合させるとともに、第一係合部１ａをアーム３の先端部３１に包囲するように係合させる。
最後に、扉１０に装備されている自動閉扉機構（図示せず）で僅かに閉扉することで、図５（ａ），（ｂ）に示すように、係合突起４ｄとアーム３の先端部３１との距離が僅かに広がり、第二係合部１ｂと第一係合部１ａとの距離に等しくなる。
これで、自動閉扉機構による閉扉動作により、係合突起４ｄの頭部４ａとアーム３の先端部３１との距離が広がろうとする。一方で、係合突起４ｄに部分的に包囲された第二係合部１ｂとアーム３の先端部３１に部分的に包囲された第一係合部１ａとの距離は、第一係合部１ａと第二係合部１ｂとを連結する連結部１ｃにより一定に保とうとする。よって、閉扉阻止装置１により自動閉扉機構による閉扉動作を阻止できる。これで、扉１０と扉枠１１ａとに隙間を形成しておくことができる。
その後、閉扉阻止措置１をドアガード３から脱離させて扉１０を自動閉扉機構により閉じる際には、扉１０を図５（ａ）の矢印の方向、すなわち室内側に開いて、係合突起４ｄの頭部４ａとアーム３の先端部３１との距離を狭めるだけで、外開き式の場合と同様、閉扉阻止装置１をドアガードから容易に離脱させることができる。
【００２７】
以上、本発明においては、閉扉阻止装置の第一係合部がドアガードのアームの先端部に当接し、同時に、第二係合部でドアガードの係合突起の頭部に当接するので、アームと係合突起との距離を広げることはできない。よって、本発明に係る閉扉阻止装置をドアガードに装着することで、自動閉扉機構や風などによる閉扉動作を阻止することができる。
【００２８】
以上の説明においては、図１のような外開き式や図５のような内開き式のドアガードに装着されることを前提としたが、例えばスライド孔を形成するアームとこのアームと係合する係合突起とからなるドアガード、または、これと同等なドアガードであれば、同様に自動閉扉機構による閉扉動作を阻止できる。その場合には、ドアガードのアームの先端部の形状に沿って第一係合部が形成され、ドアガードの係合突起の頭部の形状に沿って第二係合部が形成される必要がある。
また、以上の説明においては自動閉扉機構について詳細な説明はしていないが、手動で開扉して手を離したときに自動で閉扉動作を行える機構であれば、例えば扉を扉枠に回動可能に固定する蝶番に組み込んであっても、また扉の上部に取り付けられるドアクローザー、ドアチェッカーなどの何れを採用しても構わない。更に、風などによる閉扉動作も阻止することができる。
【図面の簡単な説明】
【００２９】
【図１】外開き式のドアガードに対して本発明の閉扉阻止装置を装着した状態を示し、（ａ）はその平面図、（ｂ）はその側面図である。
【図２】好ましい閉扉阻止装置の斜視図である。
【図３】閉扉阻止装置のドアガードへの装着状況の前段を示した各斜視図である。
【図４】閉扉阻止装置のドアガードへの装着状況の後段を示した各斜視図である。
【図５】内開き式のドアガードに対して本発明の閉扉阻止装置を装着した状態を示し、（ａ）はその平面図、（ｂ）はその側面図である。
【図６】外開き式の扉に装備された一般的なドアガードの構成図で、（ａ）は平面図、（ｂ）はドアガードを機能させていない状態での正面図、（ｃ）はドアガードを機能させた状態での側面図である。
【図７】（ａ）は従来のドアガードの使用状態を示した斜視図、（ｂ）はその平面図である。
【符号の説明】
【００３０】
１          閉扉阻止装置
１ａ        第一係合部
１ｂ        第二係合部
１ｃ        連結部
１ｄ        第一掛止部
１ｅ        第二掛止部
１ｆ        可撓体
２，２１    ドアガード
３          アーム
３１        アームの先端部
３ａ        アーム部
３ｂ        取付部
４          受座
４ａ        受座の頭部
４ｂ，４ｄ  係合突起
【図１】
2005076283.tif 000003
【図２】
2005076283.tif 000004
【図３】
2005076283.tif 000005
【図４】
2005076283.tif 000006
【図５】
2005076283.tif 000007
【図６】
2005076283.tif 000008
【図７】
2005076283.tif 000009